(57)【特許請求の範囲】
【請求項１】
ドラム状曲面を形成したガイドと、
駆動プーリと従動プーリとの間に掛渡された弾性材ベルトと、を備え、
前記ドラム状曲面の外周面を前記弾性材ベルトのベルト外表面で押圧して、前記弾性材ベルトを前記ドラム状曲面の円周方向に複数配置し、
前記ドラム状曲面と前記ベルト外表面との間に、先行媒体の後端部に、後続媒体の先端部を所定の重なり代で重ね合せて保持し、
一の隣合う前記弾性材ベルトの間に、前記ドラム状曲面の外周面と前記ベルト外表面との間に媒体を搬入する搬入部を設けると共に、
他の隣合う前記弾性材ベルトの間に、前記ドラム状曲面の外周面と前記ベルト外表面との間に保持した媒体を繰出す繰出部を設け、
前記ドラム状曲面の外周面と媒体との間の摩擦係数は、媒体同士の摩擦係数より小さくなるように設定され、
前記ベルト外表面と媒体との間の摩擦係数は、媒体同士の摩擦係数より大きくなるように設定され、
前記ドラム状曲面を形成するガイドは媒体の搬送方向に回転しないよう固定され、
先行媒体と後続媒体の重合部が前記ベルト外表面の押圧部とドラム外表面に挟持されたときに、先行媒体の後端は、後続媒体と前記ドラム外表面の間に、先行媒体のみを引抜くことができる程度の摩擦力で挟持されていることを特徴とする収納繰出機構。
【請求項２】
ドラム状曲面を形成したガイドと、
駆動プーリと従動プーリとの間に掛渡された弾性材ベルトと、を備え、
前記ドラム状曲面の外周面を前記弾性材ベルトのベルト外表面で押圧して、前記弾性材ベルトを前記ドラム状曲面の円周方向に複数配置し、
前記ドラム状曲面と前記ベルト外表面との間に、先行媒体の後端部に、後続媒体の先端部を所定の重なり代で重ね合せて保持し、
一の隣合う前記弾性材ベルトの間に、前記ドラム状曲面の外周面と前記ベルト外表面との間に媒体を搬入する搬入部を設けると共に、
他の隣合う前記弾性材ベルトの間に、前記ドラム状曲面の外周面と前記ベルト外表面との間に保持した媒体を繰出す繰出部を設け、
前記繰出部は、
前記ドラム状曲面の外周面と前記ベルト外表面との間で搬送した媒体の搬送方向を前記ドラム状曲面の外周面の方向または繰出口の方向に切替える切替ブレードと、
前記繰出口に設けた繰出ローラと、
前記繰出ローラを押圧する押圧ローラと、を有し、
前記ドラム状曲面の外周面と前記ベルト外表面との間に保持した最後尾の媒体の後端が、前記切替ブレードを通過した後、先頭の媒体の先端が前記切替ブレードを通過する前に、前記切替ブレードによる媒体の搬送方向を前記繰出口の方向へ切替え、前記先頭の媒体の先端が、前記繰出ローラと押圧ローラに挟持されたときに、前記各弾性材ベルトの駆動を停止することを特徴とする収納繰出機構。
【請求項３】
請求項２において、
前記ドラム状曲面の外周面と前記ベルト外表面との間に保持した媒体の、先行媒体と後続媒体との所定の重なり代は、先行媒体の先端が前記繰出ローラと前記押圧ローラに挟持されたときに、後続媒体の先端が前記ベルト外表面の押圧部とドラム外表面との間に挟持される長さであることを特徴とする収納繰出機構。
【請求項４】
請求項３において、
前記ドラム状曲面の外周面と前記ベルト外表面との間に媒体を保持するための前記押圧部は、先行媒体と後続媒体との重合部の長さ以上の範囲で前記ドラム外表面に接し、前記ドラム状曲面の外周面上で隣り合う押圧部の間隔は媒体長より小さいことを特徴とする収納繰出機構。
【請求項５】
請求項１において、
前記駆動プーリ、前記従動プーリおよび前記弾性材ベルトを３組以上設け、
前記繰出部を媒体種別に応じて複数個設け、
媒体種別毎の搬送先に応じて繰出部を切替えることを特徴とする収納繰出機構。
【請求項６】
ドラム状曲面を形成したガイドと、
駆動プーリと従動プーリとの間に掛渡された弾性材ベルトと、を備え、
前記ドラム状曲面の外周面を前記弾性材ベルトのベルト外表面で押圧して、前記弾性材ベルトを前記ドラム状曲面の円周方向に複数配置し、
前記ドラム状曲面と前記ベルト外表面との間に、先行媒体の後端部に、後続媒体の先端部を所定の重なり代で重ね合せて保持し、
一の隣合う前記弾性材ベルトの間に、前記ドラム状曲面の外周面と前記ベルト外表面との間に媒体を搬入する搬入部を設けると共に、
他の隣合う前記弾性材ベルトの間に、前記ドラム状曲面の外周面と前記ベルト外表面との間に保持した媒体を繰出す繰出部を設け、
前記搬入部は、
前記隣合う前記弾性材ベルトを所定の隙間を介して対向配置した対向部と、
前記従動プーリの回転軸に設けた媒体を搬送する弾性材ローラと、
前記駆動プーリの回転軸に設けた媒体を搬送するアイドルローラと、
搬入口に設けた搬入ローラと、
前記搬入ローラを押圧する押圧ローラと、
前記搬入ローラの回転軸に設けた羽根車と、
前記対向部から、前記搬入ローラに向かって下る方向に傾斜する傾斜ガイドと、を有し、
前記搬入口から、前記搬入ローラと押圧ローラに挟持されて搬送された媒体の挟持が解除されたときに、当該媒体を前記弾性材ローラで前記ドラム状曲面の外周面と前記ベルト外表面との間に搬送し、前記媒体の後端部を前記羽根車で前記傾斜ガイドに沿わせた状態にして停止させることを特徴とする収納繰出機構。
【請求項７】
請求項６において、
前記傾斜ガイドに沿わせた状態にして停止させた先行媒体の後端部上に、後続媒体の先端部を所定の重なり代で重ねるために、
前記弾性材ベルトにより先行媒体を搬送する速度よりも、前記弾性材ローラで後続媒体を速い速度で搬送し、前記先行媒体の後端部上に、後続媒体の先端部が所定の重なり代で重なったときに、前記各弾性材ベルトおよび弾性材ローラにより前記先行媒体と前記後続媒体とを同じ速度で搬送することを特徴とする収納繰出機構。
【請求項８】
請求項１において、
前記ドラム状曲面を形成したガイドを、円筒形状のガイドドラムとしたことを特徴とする収納繰出機構。
【請求項９】
請求項１において、
前記ドラム状曲面を形成したガイドを、同一の中心軸上に円盤を一定間隔で配置した円盤状ガイドとしたことを特徴とする収納繰出機構。
【請求項１０】
請求項１において、
前記ドラム状曲面を形成したガイドを、円柱形状のガイドとしたことを特徴とする収納繰出機構。
【請求項１１】
請求項１において、
前記ドラム状曲面周辺に配置した前記駆動プーリ、前記従動プーリおよび前記弾性材ベルトは一方向のみに回転し、
媒体の搬送方向がドラム外表面を経由して搬入部から繰出部へ向かう一方向のみであることを特徴とする収納繰出機構。
【発明の詳細な説明】
【技術分野】
【０００１】
本発明は、紙幣等の媒体を収納し、収納した媒体の繰出を行う収納繰出機構に関する。
【背景技術】
【０００２】
図１２は、従来の現金自動預払機に設けられた集積部の構造を示す説明図である。集積繰出機構１００は、フィードローラ１０１と、ピックアップローラ１０２と、ゲートローラ１０３と、羽根車１０４とを有する。フィードローラ１０１は、紙幣の搬入繰出口１０５に設けられ繰出方向および集積方向に回転可能に設置されている。ピックアップローラ１０２は、上下に位置を移動させることによって集積される紙幣から退避可能になっており、フィードローラ１０１と同方向に回転する。ゲートローラ１０３は、フィードローラ１０１に対向配置され、集積方向にのみ回転可能なワンウェイクラッチが設けられている。羽根車１０４は、リンク１０８からなる退避機構により図１３に示す退避位置Ａに退避可能に構成され、集積される紙幣の後端を羽根により叩き落とす。集積繰出機構１００は、フィードローラ１０１により放出された紙幣を厚さ方向に積層して集積するステージ１０６を備えており、ステージ１０６は、昇降機構により昇降する構成になっている。集積繰出機構１００は、図示しない記憶部に格納されたプログラム（ソフトウェア）に基づいて図示しない制御部により制御されるものとする。制御部は、紙幣の集積時には、ピックアップローラ１０２を紙幣の放出軌跡から上方へ退避させる。制御部は、ステージ１０６を降下させて集積空間を形成させると共に、搬入繰出口１０５から搬入された紙幣をフィードローラ１０１によって集積空間に放出させる。更に、制御部は、放出された紙幣の後端を羽根車１０４で叩き、ガイド１０７側に引寄せて整位させる。集積繰出機構１００から、ステージ１０６上に集積された紙幣を繰出すときは、図１３に示すように、制御部は、羽根車１０４を繰出経路から退避させると共に、ピックアップローラ１０２を下方に移動させる。更に、制御部は、ステージ１０６を上昇させて最上位の紙幣をピックアップローラ１０２に押圧させる。更に、制御部は、ピックアップローラ１０２を繰出方向に回転させて、紙幣をフィードローラ１０１とゲートローラ１０３の間へ搬送させる。制御部は、フィードローラ１０１を繰出方向に回転させ、フィードローラ１０１に当接する最上位の紙幣を搬入繰出口１０５から外部に繰出させる。このとき、ゲートローラ１０３は、集積方向には回転して、繰出方向には回転しないワンウェイクラッチ構造になっているため、紙幣は一枚毎に分離されて搬入繰出口１０５から繰出される。（例えば、特許文献１参照。）。
【０００３】
このように、ステージ１０６上に厚さ方向に紙幣を集積し、集積した紙幣を１枚毎に分離し、紙幣を搬入繰出口１０５から外部へ繰出す構成を備えた集積繰出機構１００では、紙幣の繰出時の重送等を防止するために、退避機構を設けた羽根車１０４やステージ１０６の昇降装置等が必要となり、紙幣の集積繰出機構が複雑化する。また、他の従来の紙幣収納繰出装置として、図１４に示すように、センタリール２０１と、２つの巻取リール２０２と、一対のローラ２０３と、小径ギヤ２０４と大径ギヤ２０５で構成される増速機とを備えるものがある。センタリール２０１は図示しない電磁クラッチを備える。電磁クラッチは駆動軸と、回転軸２０９との間に設けられる（駆動軸と回転軸２０９は同一軸線上に配置され、センタリール２０１と大径ギヤ２０５は回転軸２０９に取付けられている。）。駆動軸には図示しないモータ等の駆動手段が接続される。電磁クラッチは回転軸２０９と駆動軸とを結合することにより、図示しない駆動源からの駆動力をセンタリール２０１と大径ギヤ２０５に伝達する。２つの巻取リール２０２の円周上には、２本のテープＴの一端が各々固定され、センタリール２０１の円周上には２本のテープＴの他端が固定されている。巻取リール２０２は、図示しないトルクリミッタとワンウェイクラッチを備える。トルクリミッタは巻取リール２０２の回転軸２０８に設けられ、巻取リール２０２はトルクリミッタを介して回転軸２０８に取付けられている。トルクリミッタはテープＴに所定以上のテンションが発生したときに、巻取リール２０２に伝達されるトルクを所定量に規制する（回転軸と巻取リール２０２との間に滑りを生じさせる）。ワンウェイクラッチは巻取リール２０２の回転軸２０８に設けられ、小径ギヤ２０４は、ワンウェイクラッチを介して回転軸２０８に取付けられている。ワンウェイクラッチは、巻取リール２０２をテープＴを巻取る方向（時計回り）に回転させる場合にのみ、小径ギヤ２０４の回転を回転軸２０８に伝達する（反時計回りに回転する場合は空転する）。搬入繰出口２０６の装置内部側には一対のローラ２０３が設けられ、２本のテープＴが巻きかけられている。増速機はセンタリール２０１とそれぞれの巻取リール２０２の間に設けられている。増速機は大径ギヤ２０５と、大径ギヤ２０５に噛合する小径ギヤ２０４とで構成されている。大径ギヤ２０５と小径ギヤ２０４のギヤ比は、センタリール２０１がテープを巻戻す速度Ｖ１より、巻取リール２０２がテープを巻取る速度Ｖ３の方が常に速くなるように設定されている。紙幣の収納時には、電磁クラッチにより図示しない駆動源から伝達された駆動力により、センタリール２０１が巻取方向に回転し、搬入繰出口２０６から繰入れられた紙幣は、ローラ２０３に巻きかけられた２本のテープに挟持された状態でセンタリール２０１にテープＴとともに巻きつけられる。このとき、巻取リール２０２はワンウェイクラッチを介して回転軸２０８に取付けられているためテープＴの繰出方向には回転しないが、センタリール２０１の回転により、更にテープＴに所定以上のテンションが発生すると、トルクリミッタにより回転軸と巻取リール２０２との間に滑りが生じ、巻取リール２０２に巻きつけられたテープＴは緩むことなく繰出される。図１５に示すように紙幣の繰出時には、電磁クラッチにより図示しない駆動源から伝達された駆動力により、大径ギヤ２０５、小径ギヤ２０４、およびワンウェイクラッチを介して巻取リール２０２がテープＴを巻取る方向に回転する（ワンウェイクラッチを介して回転軸２０８に取付けられた巻取リール２０２はテープＴの巻取方向のみに回転する）。このとき、巻取リール２０２は、増速機によりセンタリール２０１の回転速度より速い速度で回転する。更にテープＴに所定以上のテンションが発生すると、トルクリミッタにより回転軸２０８と巻取リール２０２との間に滑りが生じ、テープＴは緩むことなく巻取リール２０２に巻取られる。紙幣は巻戻された２本のテープＴに挟持された状態でローラ２０３の間を搬送され搬入繰出口２０６から繰出される。以上の構成としたことにより、テープＴの巻取りおよび巻戻しの際、テープＴのテンションは一定に保たれる。ここで、紙幣収納繰出装置２００は、図示しない記憶部に格納されたプログラム（ソフトウェア）に基づいて図示しない制御部により制御されるものとする。制御部は、センタリール２０１から繰出された紙幣を、一対のローラ２０３に挟持させて搬入繰出口２０６から繰出させる。紙幣収納繰出装置２００の搬入繰出口２０６の装置外部側には、紙幣の繰出方向の延長線上に搬送路２０７が設けられている。搬送路２０７は、ローラとベルト等で構成され、繰出された紙幣の搬送速度よりも速い速度で紙幣を引抜いて紙幣の重送を防止すると共に、装置の簡素化を図っている（例えば、特許文献２参照。）。
【先行技術文献】
【特許文献】
【０００４】
【特許文献１】特開２００７−２９０８５０号公報（段落００１３−００２２、第２図、第３図）
【特許文献２】特開平８−０６７３８２号公報（段落０００８−００２５、第１図、第３図）
【発明の概要】
【発明が解決しようとする課題】
【０００５】
しかしながら、上述した特許文献２の紙幣収納繰出装置においては、ステージ上に積層した紙幣を１枚毎に分離して繰出す構成の集積部に較べて、繰出時の重送を防止しながら紙幣の搬入繰出機構の簡素化を図ることはできるものの、テープに一定のテンションをかけるために、トルクリミッタや、センタリールと２つの巻取リールとの間に設けられた増速機、センタリールの巻取時に増速機から巻取リールへ駆動力の伝達を遮断するワンウェイクラッチ等を必要とし、テープの巻取り機構が複雑化するという問題がある。
【０００６】
このことは、結果として紙幣の収納繰出機構の製造コストを増加させることになる。
【０００７】
本発明は、上記の問題点を解決するためになされたもので、紙幣等の媒体の収納繰出機構の簡素化を図る手段を提供することを目的とする。
【課題を解決するための手段】
【０００８】
本発明は、上記課題を解決するために、収納繰出機構が、ドラム状曲面を形成するガイドと、駆動プーリと従動プーリとの間に掛渡された弾性材ベルトとを備え、前記ドラム状曲面の外周面を前記弾性材ベルトのベルト外表面で押圧して、前記弾性材ベルトを前記ドラム状曲面の円周方向に複数配置し、前記ドラム状曲面と前記ベルト外表面との間に、先行媒体の後端部に、後続媒体の先端部を所定の重なり代で重ね合せて保持し、一の隣り合う前記弾性材ベルトの間に、前記ドラム状曲面の外周面と前記ベルト外表面との間に媒体を搬入する搬入部を設けると共に、他の隣合う前記弾性材ベルトの間に、前記ドラム状曲面の外周面と前記ベルト外表面との間に保持した媒体を繰出す繰出部を設け、前記ドラム状曲面の外周面と媒体との間の摩擦係数は、媒体同士の摩擦係数より小さくなるように設定され、前記ベルト外表面と媒体との間の摩擦係数は、媒体同士の摩擦係数より大きくなるように設定され、前記ドラム状曲面を形成するガイドは媒体の搬送方向に回転しないよう固定され、先行媒体と後続媒体の重合部が前記ベルト外表面の押圧部とドラム外表面に挟持されたときに、先行媒体の後端は、後続媒体と前記ドラム外表面の間に、先行媒体のみを引抜くことができる程度の摩擦力で挟持されていることを特徴とする。
【発明の効果】
【０００９】
これにより、本発明は、構造の簡素化を図ることができると共に、同一の外径を有するガイドドラムを備えた収納繰出機構の紙幣Ｐの収納枚数を増加させることができるという効果が得られる。
【図面の簡単な説明】
【００１０】
【図１】実施例１の収納繰出機構を示す説明図
【図２】実施例１の搬入部の従動プーリの回転軸を示す説明図
【図３】実施例１の搬入部の駆動プーリの回転軸を示す説明図
【図４】実施例１の搬入部の搬入ローラの回転軸を示す説明図
【図５】実施例１の搬入部の押圧ローラの回転軸を示す説明図
【図６】実施例１の収納繰出機構の収納動作を示す説明図
【図７】実施例１の収納繰出機構の繰出動作を示す説明図
【図８】実施例２の収納繰出機構を示す説明図
【図９】収納繰出機構の他の形態を示す説明図
【図１０】ドラム状ガイドの他の形態を示す説明図
【図１１】円盤状ガイドと弾性材ベルトの位置関係を示す説明図
【図１２】従来の現金自動預払機に設けられた集積部の構造を示す説明図
【図１３】従来の現金自動預払機に設けられた集積部の構造を示す説明図
【図１４】従来の現金自動預払機に設けられた紙幣収納繰出装置の構造を示す説明図
【図１５】従来の現金自動預払機に設けられた紙幣収納繰出装置の構造を示す説明図
【発明を実施するための形態】
【００１１】
以下に、図面を参照して本発明による収納繰出機構の実施例について説明する。
【実施例１】
【００１２】
図１は、実施例１の収納繰出機構を示す説明図である。収納繰出機構１は、上位装置としての図示しない乗車券や定期券等の券売機に装着されており、投入された媒体としての紙幣Ｐを１５枚程度保持して一時的に保留する一時保留部として機能する。
【００１３】
本実施例の収納繰出機構１の収納設定枚数は１０枚に設定されている。また、紙幣Ｐの搬送方向は紙幣Ｐの短手方向であり、図１に示す各矢印の方向に搬送される。
【００１４】
ドラム状ガイドとしてのガイドドラム２は、樹脂材料で形成された紙幣Ｐの長手方向以上の軸方向長さ（図１において紙面奥行方向の長さをいう。）を有する一つの円筒面からなるドラム状曲面を外周面としたガイド部材であって、券売機のフレーム等に固定されている（ガイドドラム２自体は紙幣の搬送方向に回転しない）。
【００１５】
弾性材ベルト３ａは、合成ゴム等の比較的弾性に富んだ弾性材で形成された無端の平ベルトであって、回転軸４ａに固定された駆動プーリ５ａと回転軸６ａに固定された従動プーリ７ａ間にテンションがかけられた状態で掛渡されている。弾性材ベルト３ａは、駆動プーリ５ａと従動プーリ７ａの間のベルトの平行部分の外側の面（ベルト外表面という。）の一方で、ガイドドラム２の外周面２ａ（ドラム外周面２ａという。）を押圧して配置されている。
【００１６】
回転軸４ｂに固定された駆動プーリ５ｂと回転軸６ｂに固定された従動プーリ７ｂ間に掛渡された弾性材ベルト３ｂのベルト外表面と、回転軸４ｃに固定された駆動プーリ５ｃと回転軸６ｃに固定された従動プーリ７ｃ間に掛渡された弾性材ベルト３ｃのベルト外表面も、弾性材ベルト３ａと同様に、ガイドドラム２のドラム外周面２ａを押圧する構造になっている。
【００１７】
また、各駆動プーリ５ａ、５ｂ、５ｃ、および各従動プーリ７ａ、７ｂ、７ｃには、その外周面にクラウニングが設けられており、平ベルトからなる各弾性材ベルト３ａ、３ｂ、３ｃの巻掛位置が軸方向に移動しないように構成されている。
【００１８】
これらの弾性材ベルト３ａ、３ｂ、３ｃは、図１に示すように、ガイドドラム２の外周面に沿って円周方向に配置される。弾性材ベルト３ａ、３ｂ、３ｃは、図示しないモータ等の１つの駆動源により回転駆動される駆動プーリ５ａ、５ｂ、５ｃによりそれぞれ駆動されている。弾性材ベルト３ａ、３ｂ、３ｃは、ベルト外表面でドラム外周面２ａ上の紙幣Ｐの長手方向の中央部を押圧して、紙幣Ｐの裏面をドラム外周面２ａに摺動させながら搬送する。ガイドドラム２は回転しないように固定されているので、駆動プーリ５ａ、５ｂ、５ｃの回転駆動による弾性材ベルト３ａ、３ｂ、３ｃの移動により、紙幣Ｐはドラム外周面２ａ上を滑りながら移動する。紙幣Ｐは、弾性材ベルト３ａ、３ｂ、３ｃが停止した場合であっても、各弾性材ベルト３ａ、３ｂ、３ｃのベルト外表面がドラム外周面２ａを押圧する押圧部９ａ、９ｂ、９ｃで保持されている。       
【００１９】
搬入部１０は、図示しない券売機の紙幣挿入口から搬送された紙幣Ｐの収納繰出機構１への搬入を受入れる部位である。搬入部１０は、ガイドドラム２の周囲に配置した３つの弾性体ベルト３の中の、一の隣合う弾性材ベルト３の間に配置される。本実施例では、搬入部１０は、回転軸６ａ、４ｃ側の弾性材ベルト３ａ、３ｃの間に配置され、駆動プーリ５ｃと、従動プーリ７ａと、弾性材ローラ１１と、アイドルローラ１２と、搬入ローラ１３と、ガイド板１４ａと、ガイド板１４ｂと、搬入口１５と、羽根車１６と、押圧ローラ１７と、傾斜ガイド１８と、収納トリガセンサ３０とを有する。搬送部１０が配置される一の隣合う弾性材ベルト３のうち、一方の弾性材ベルト３ｃは駆動プーリ５ｃに巻掛けられ、他方の弾性材ベルト３ａは従動プーリ７ａに巻掛けられている。駆動プーリ５ｃと従動プーリ７ａは対向配置されており、駆動プーリ５ｃと従動プーリ７ａが対向している部分において、弾性材ベルト３ａと３ｃの間には所定の隙間（本実施例では、紙幣２枚分の厚さ以上の隙間）が形成されている。
【００２０】
図２に示すように、従動プーリ７ａは回転軸６ａに取付けられ、回転軸６ａの軸方向（紙幣Ｐの搬送方向に対して直交方向）の両側に、弾性材ローラ１１が取付けられている。弾性材ローラ１１は従動プーリ７ａの回転に伴ってともに回転する。図３に示すように、駆動プーリ５ｃは回転軸４ｃに取付けられ、回転軸４ｃの両側には、ボールベアリング等の転がり軸受からなるアイドルローラ１２が取付けられている。また、アイドルローラ１２は弾性材ローラ１１と対向する位置に取付けられている。
【００２１】
本実施例の弾性材ローラ１１は、合成ゴム等の比較的弾性に富んだ弾性材で形成されている。弾性材ローラ１１の外径は、従動プーリ７ａの直径に弾性材ベルト３ａの厚さの２倍を加えた長さより大きくなる直径で形成されている。アイドルローラ１２の外径は、駆動プーリ５ｃの直径に弾性材ベルト３ｃの厚さの２倍を加えた長さと同等の直径で形成されている。弾性材ローラ１１の外周面とアイドルローラ１２の外周面とは接触している。
弾性材ローラ１１とアイドルローラ１２は、搬入された紙幣Ｐを弾性材ローラ１１とアイドルローラ１２との間に挟持して、ドラム外周面２ａと弾性材ベルト３ａのベルト外表面との間に搬入された紙幣Ｐを搬送する機能を有している。
【００２２】
なお、他の駆動プーリ５ａ、５ｂの回転軸４ａ、４ｂにはアイドルローラ１２は取付けられておらず、駆動プーリ５のみが固定されている。他の従動プーリ７ｂ、７ｃの回転軸６ｂ、６ｃには、弾性材ローラ１１は取付けられておらず、従動プーリ７のみが固定されている。
【００２３】
搬入口１５は、２枚の対向配置されたガイド板１４ａ、１４ｂの端部で形成され、紙幣Ｐは、搬入口１５から搬入される。搬入ローラ１３は、紙幣Ｐの搬入方向からみて搬入口１５より下流側かつ駆動プーリ５ｃの上流側に配置された搬送ローラである。また、搬入ローラ１３は、搬入される紙幣Ｐの裏面側に配置されている。搬入ローラ１３には、その外周面の一部または全部に、紙幣Ｐの搬送が可能な摩擦係数を持った合成ゴム等の摩擦部材が設けられている。搬入ローラ１３は、回転軸１３ａに固定され、図示しない駆動源により弾性材ベルト３とは独立に回転駆動される。
【００２４】
また、羽根車１６は、図４に示すように、搬入ローラ１３が取付けられた回転軸１３ａの軸方向の両側に取付けられている。羽根車１６には、合成ゴム等の弾性材の薄板で形成された複数の羽根が放射状に埴設されている。羽根車１６は、搬入ローラ１３の回転に伴ってともに回転し、その羽根の先端部で搬入された紙幣Ｐの後端を叩き落す機能を有している。
【００２５】
押圧ローラ１７は、図５に示すように、回転軸１７ａの軸方向の中央部に設けられ、図１に示すように、搬入ローラ１３に対向する位置に設けられている。図示しないバネ部材が回転軸１７ａを回転軸１３aの方向に押圧することにより、押圧ローラ１７は、搬入ローラ１３の外周面を押圧する。押圧ローラ１７は、搬入ローラ１３との間に紙幣Ｐの長手方向の中央部を挟持し、挟持した紙幣Ｐを搬送する機能を有している。
【００２６】
傾斜ガイド１８は、駆動プーリ５ｃと従動プーリ７ａが対向している部分の弾性材ベルト３ｃと弾性材ベルト３ａとのベルト外表面間から、搬入ローラ１３に向かって下る方向に傾斜するガイド板である。傾斜ガイド１８は、搬入口１５から搬送された紙幣Ｐの先端部が弾性材ローラ１１とアイドルローラ１２に挟持され、搬入ローラ１３と押圧ローラ１７の挟持が解除されたときに、羽根車１６の羽根の先端部で叩き落された当該紙幣Ｐの後端部を受止める機能を有している。これにより、紙幣Ｐは、先端部が弾性材ローラ１１とアイドルローラ１２に挟持され、後端部が傾斜ガイド１８に押付けられた状態となる。更に、次に搬入された紙幣Ｐ（後続紙幣という）の先端部は、先に搬入された紙幣Ｐ（先行紙幣という）の後端部上に重ね合わせられる。
【００２７】
繰出部２０は、収納繰出機構１の弾性材ベルト３のベルト外表面とドラム外周面２ａとの間で保持した紙幣Ｐ（収納紙幣ともいう）を外部へ繰出す部位である。繰出部２０は、搬入部１０が設けられた弾性材ベルト３の間とは異なる、他の隣合う弾性材ベルト３の間に配置される。本実施例では、繰出部２０は、回転軸６ｂ、４ａ側の弾性材ベルト３ａ、３ｂの間に配置され、駆動プーリ５ａと、従動プーリ７ｂと、ガイド板２４ａと、ガイド板２４ｂと、繰出口２１と、切替ブレード２２と、繰出ローラ２３と、押圧ローラ２５とを有する。切替ブレード２２は、駆動プーリ５ａと、従動プーリ７ｂとの間に配置されている。切替ブレード２２は、弾性材ベルト３により搬送される紙幣Ｐの搬送方向を、ドラム外周面２ａの円周方向から繰出口２１の方向へ切替える。切替ブレード２２は、図示しないソレノイド等のアクチュエータにより回動支点２２ａを中心に回動駆動される。
【００２８】
搬出口２１は、２枚の対向配置されたガイド板２４ａ、２４ｂの端部で形成され、紙幣Ｐは、繰出口２１から繰出される。繰出ローラ２３は、紙幣Ｐの繰出方向からみて繰出口２１より上流側かつ駆動プーリ５ａの下流側に配置された搬送ローラである。また、繰出ローラ２３は搬入ローラ１３と同様に、繰出される紙幣Ｐの裏面側に配置されている。
繰出ローラ２３は、回転軸２３ａに固定され、図示しない駆動源により弾性材ベルト３および搬入ローラ１３とは独立に回転駆動される。
【００２９】
押圧ローラ２５は、回転軸２５ａの軸方向の中央部に設けられる。また、押圧ローラ２５は、繰出ローラ２３に対向する位置に設けられている。
押圧ローラ２５は、押圧ローラ１７と同様に、図示しないバネ部材が回転軸２５ａを回転軸２３ａの方向に押圧することにより、繰出ローラ２３の外周面を押圧する。押圧ローラ２５は、繰出ローラ２３との間に紙幣Ｐの長手方向の中央部を挟持し、挟持した紙幣Ｐを搬送する機能を有している。
【００３０】
なお、図１等に黒塗りで示す回転軸４ａ、４ｂ、４ｃ、１３ａ、２３ａは、駆動軸を表す。
【００３１】
搬送ガイド２７ａは、ガイドドラム２の軸方向長さと同等の幅（図１において紙面奥行方向の長さをいう。）を有する、樹脂材料で形成されたガイド部材である。搬送ガイド２７ａは、券売機のフレーム等に固定されて弾性材ベルト３ａ、３ｃ間に配置されている。
搬送ガイド２７ａは、弾性材ベルト３ａ、３ｃ間を搬送される紙幣Ｐの先端部または後端部を、ガイドドラム２のドラム外周面２ａに沿って搬送方向下流側の次の弾性材ベルト３へ導く機能を有している。搬送ガイド２７ｂ、２７ｃも同様の機能を有している。
【００３２】
本実施例では、３つの弾性材ベルト３ａ、３ｂ、３ｃ間にそれぞれ搬送ガイド２７ａ、２７ｂ、２７ｃが配置されている。搬送ガイド２７ａは、ドラム外周面２ａの弾性材ベルト３ｃによる押圧部９ｃから弾性材ベルト３ａによる押圧部９ａまでドラム外周面２ａ上を搬送される紙幣Ｐをガイドする。搬送ガイド２７ｂは、弾性材ベルト３ａによる押圧部９ａから弾性材ベルト３ｂによる押圧部９ｂまで搬送される紙幣Ｐを、搬送方向をドラム外周面２ａ側に切替えた切替ブレード２２（図６参照）と共同してガイドする。搬送ガイド２７ｃは、弾性材ベルト３ｂによる押圧部９ｂから弾性材ベルト３ｃによる押圧部９ｃまで搬送される紙幣Ｐをガイドする。
【００３３】
これにより、ガイド２７ａは、紙幣Ｐが押圧部９ｃから押圧部９ａに搬送されるときに、押圧部９ａ、９ｂによって押圧されていない紙幣Ｐの先端または後端がドラム外周面２ａから浮き上がることを防止しながら、紙幣Ｐを押圧部９ｃから次の押圧部９ａへ円滑に導く。ガイド２７ｂ、２７ｃも、上述したガイド２７ａと同様に、押圧部９ａと押圧部９ｃの間、或いは押圧部９ｂと押圧部９ｃの間で紙幣Ｐが浮き上がることを防止する。
【００３４】
なお、本実施例において、紙幣Ｐは収納繰出機構１内を、ガイドドラム２のドラム外周面２ａを経由して搬入部１０から繰出部２０へ向かう一方向のみに搬送される。ガイドドラム２上の紙幣Ｐの搬送方向は、図１において反時計方向であり、駆動プーリ５ａ、５ｂ、５ｃは、時計方向に回転する。すなわち、紙幣Ｐは、弾性体ベルト３ａ、３ｂ、３ｃの張り側とガイドドラムに挟持され一方向のみに搬送される。
【００３５】
また、本実施例の押圧部９には、紙幣Ｐの長手方向の両端部をガイドする特別なガイド部材は設けられていないが、本実施例の押圧部９はドラム外周面２ａに弾性材ベルト３のベルト外表面を押付けて円弧状に形成されているので、押圧部９とドラム外周面２ａで挟持された紙幣Ｐはドラム外周面２ａに沿って湾曲している。紙幣Ｐが湾曲することにより、紙幣Ｐの搬送方向と垂直な方向の曲げ剛性が増加するため、紙幣Ｐの両端部がドラム外周面２ａに対して浮き上がることなく搬送される。
【００３６】
収納トリガセンサ３０は、対向配置されたガイド板１４ａ、１４ｂ間を搬送される紙幣Ｐを挟んで発光部と受光部とを対向配置した光学式のセンサである。収納トリガセンサ３０は、発光部からの光を紙幣Ｐが遮ったことを受光部で検出して搬入される紙幣Ｐを検出する機能を有している。収納トリガセンサ３０は、搬入口１５と搬入ローラ１３との間に配置される。図示しない制御部は、収納トリガセンサ３０での紙幣Ｐの検出結果により、紙幣Ｐの搬入時に駆動プーリ５を回転駆動する。
【００３７】
フル検出センサ３１は、ガイドドラム２のドラム外周面２ａ上を搬送される紙幣Ｐを挟んで発光部と受光部とを対向配置した光学式のセンサである。フル検出センサ３１は、発光部からの光を紙幣Ｐが遮ったことを受光部で検出して搬送される紙幣Ｐを検出する機能を有する。フル検出センサ３１は、ドラム外周面２ａ上に収納設定枚数の全ての紙幣Ｐを収納したときに、先頭の紙幣Ｐの先端を検出するセンサである。フル検出センサ３１は、ドラム外周面２ａ上に収納設定枚数の全ての紙幣Ｐを収納したときに、先頭の紙幣Ｐの先端と最後尾の紙幣Ｐの後端との間に所定の間隔が開いている状態（フル状態）で、先頭の紙幣Ｐの先端を検出可能な位置に配置される。本実施例では、フル検出センサ３１は、弾性材ベルト３ｃによる押圧部９ｃの搬送方向下流側の位置に配置され、ドラム外周面２ａ上を搬送される先頭の紙幣Ｐの先端を検出して、ドラム外周面２ａ上に保持された紙幣Ｐのフル状態を検出する。
【００３８】
切替トリガセンサ３２は、ガイドドラム２のドラム外周面２ａ上を搬送される紙幣Ｐを挟んで発光部と受光部とを対向配置した光学式のセンサである。切替トリガセンサ３２は、発光部からの光を紙幣Ｐが遮ったことを受光部で検出して搬送される紙幣Ｐを検出する機能を有している。切替トリガセンサ３２は、ドラム外周面２ａの弾性材ベルト３ｃによる押圧部９ｃの搬送方向下流側で、切替ブレード２２の先端の回動軌跡の上流側に配置されている。切替トリガセンサ３２が、ドラム外周面２ａ上を搬送される先頭の紙幣Ｐの先端を検出した結果により、図示しない制御部は、紙幣Ｐの繰出時に切替ブレード２２を回動させ、紙幣Ｐの搬送方向を繰出側に切替える。
【００３９】
搬送路３４は、繰出部２０から繰出され、切替機構３５で搬送方向を切替えられた紙幣Ｐを、ベルト対またはローラ対で紙幣Ｐを挟持して券売機の紙幣返却口へ搬送する搬送路である。
【００４０】
搬送路３６は、繰出部２０から繰出され、切替機構３５で搬送方向を切替えられた紙幣Ｐを、ベルト対またはローラ対で紙幣Ｐを挟持して券売機の紙幣収納庫へ搬送する搬送路である。
【００４１】
本実施例の紙幣Ｐは、傾斜ガイド１８に羽根車１６によって押付けられた先行紙幣の搬送方向（本実施例では、紙幣Ｐの短手方向）の後端部上に、後続紙幣の先端部を所定の重なり代で重ね合せ、更に、先行紙幣と後続紙幣を重ね合わせた状態でガイドドラム２と弾性材ベルト３の間に搬送する。つまり先行紙幣の後端部の裏面をドラム外周面２ａに接触させ、その上に後続紙幣の先端部の裏面を所定の重なり代で重ね合せて、各弾性材ベルト３によりガイドドラム２のドラム外周面２ａ上に保持された状態で収納される。これにより本実施例の収納繰出機構１が収納できる紙幣Ｐの収納枚数は、同じ外径を有するガイドドラム２上に重ねることなく搬入順に並べて収納する場合に較べて、より多くの枚数を収納することが可能になる。
【００４２】
また、ドラム外周面２ａと紙幣Ｐとの間の摩擦係数は、紙幣Ｐ同士の摩擦係数より小さくなるように設定され、弾性材ベルト３と紙幣Ｐとの間の摩擦係数は、紙幣Ｐ同士の摩擦係数より大きくなるように設定されている。つまり、ドラム外周面２ａと弾性材ベルト３とで先行紙幣の後端部と後続紙幣の先端部が挟持されたとき、先行紙幣の後端部は、後続紙幣の先端部とドラム外周面に、先行紙幣の後端部のみを引抜くことができる程度の摩擦力で挟持されている。一方、先行紙幣の重合部以外の部分、後続紙幣および弾性材ベルト３が接している部分の摩擦係数は紙幣Ｐ同士よりも大きい。これにより静止しているドラム外周面２ａを摺動しながら弾性材ベルト３により搬送される紙幣Ｐの重なりにズレが生ずることなく重ね合されたときの状態のまま搬送することが可能になる。
【００４３】
本実施例の先行紙幣の後端部と後続紙幣の先端部は、所定の重なり代で重ね合わされるように設定されている。先行紙幣の先端が繰出部２０の繰出ローラ２３と押圧ローラ２５の間に挟持されたときに、先行紙幣の後端は押圧部９ａ（弾性ベルト３ａのベルト外表面）とドラム外表面２ａに接している範囲内で挟持され、後続紙幣の先端も押圧部９ａとドラム外表面２ａに接している範囲内で挟持される。つまり、重なり代の長さは、先行紙幣の先端が繰出部２０の繰出ローラ２３と押圧ローラ２５の間に挟持されたとき、先行紙幣と後続紙幣の重合部が押圧部９ａとドラム外表面２ａに接している範囲内で挟持される長さに設定されている。
【００４４】
また、本実施例の押圧部９は先行紙幣と後続紙幣との重合部の長さ以上の範囲でドラム外表面に接し、隣り合う押圧部９（９ａと９ｂ、９ｂと９ｃ、９ｃと９ａ）の間隔は、紙幣Ｐの搬送方向の長さ（本実施例では、紙幣Ｐの短手方向の長さ）以下になるように設定されている。これによりドラム外周面２ａ上の紙幣Ｐには、常に弾性材ベルト３による搬送力が作用する。
【００４５】
上記した各部は、図示しない制御部により各センサ３０、３１、３２からの検出信号を基にその駆動の開始、停止等が制御され、その駆動制御プログラムは図示しない記憶部に格納されている。
【００４６】
以下に、図６、図７を用いて、上記した構成の収納繰出機構１による収納動作および繰出動作について説明する。
【００４７】
収納繰出機構１による収納動作においては、図示しない制御部は、図示しない券売機からの収納指令を受信すると、紙幣Ｐをガイドドラム２上で搬送するための準備動作を開始する。制御部は、繰出部２０の切替ブレード２２を、紙幣Ｐをドラム外周面２ａの方向に導く方向に回動させて機構内搬送位置（図６に示す位置）に停止させる。更に、制御部は、搬入ローラ１３を図６において反時計方向へ回転させる。
【００４８】
そして、制御部は、券売機の紙幣挿入口から搬入部１０の搬入口１５へ搬送された紙幣Ｐの先端を収納トリガセンサ３０が検出すると、各駆動プーリ５ａ、５ｂ、５ｃを図６において時計方向に回転させて各弾性材ベルト３ａ、３ｂ、３ｃの駆動を開始し、搬入された紙幣Ｐの先端が弾性材ローラ１１とアイドルローラ１２との挟持部に達する前に、弾性材ベルト３による搬送速度が、搬入ローラ１３による搬送速度と同速度になるように各駆動プーリ５ａ、５ｂ、５ｃを加速させる。
【００４９】
紙幣Ｐの先端が、収納トリガセンサ３０を通過した後に、搬入ローラ１３と押圧ローラ１７に挟持されて、収納繰出機構１内に搬入される。更に、紙幣Ｐの先端が、弾性材ローラ１１とアイドルローラ１２に挟持された後に、弾性材ベルト３ａのベルト外表面とドラム外周面２ａとの間に搬送される。更に、収納トリガセンサ３０が紙幣Ｐの後端を検出すると、制御部は、紙幣Ｐの後端が搬入ローラ１３と押圧ローラ１７による挟持を解除された後に、紙幣Ｐの後端が羽根車１６で傾斜ガイド１８に叩き落される位置になるまで、弾性材ローラ１１により搬送して駆動プーリ５の駆動を停止する。
【００５０】
このとき、当該紙幣Ｐは、停止した弾性材ローラ１１とアイドルローラ１２とに挟持され、その後端部は羽根車１６の羽根の先端部で押さえられて傾斜ガイド１８の斜面に沿った状態で停止する。
【００５１】
このようにして、先行紙幣の収納を終えた後に、後続紙幣が搬入口１５へ搬送され、その先端を収納トリガセンサ３０が検出すると、制御部は、各駆動プーリ５ａ、５ｂ、５ｃによる各弾性材ベルト３ａ、３ｂ、３ｃの駆動を開始する。
制御部は各弾性材ベルト３ａ、３ｂ、３ｃにより、所定の搬送速度（後続紙幣の搬送速度よりも遅い速度）で、所定の搬送距離だけ先行紙幣を搬送する（ここで、各駆動プーリ５ａ、５ｂ、５ｃの図示しない駆動源がパルスモータである場合は、パルスモータのパルス数により搬送距離を制御し、パルス間隔により搬送速度を制御することとしてもよい。）。このとき、後続紙幣は、先行紙幣よりも速い速度で搬送されるため先行紙幣の後端部上に、後続紙幣の先端部が重ね合わせられることとなる。制御部は、先行紙幣を所定量搬送し、先行紙幣の後端部上に後続紙幣の先端部が所定の重なり代で重ね合わせられたときに、弾性材ベルト３による搬送速度が搬入ローラ１３による搬送速度と同速度になるように加速させる。更に、制御部は、その状態で先行紙幣を弾性材ベルト３ａおよび弾性材ローラ１１で搬送すると共に後続紙幣を搬入ローラ１３で搬送させる。制御部は、後続紙幣の先端を弾性材ローラ１１とアイドルローラ１２とに挟持させて先行紙幣と後続紙幣を同時に搬送し、搬入ローラ１３と押圧ローラ１７による挟持が解除された後続紙幣の後端が、羽根車１６で傾斜ガイド１８に叩き落される位置になるまで搬送して駆動プーリ５の駆動を停止させる。
【００５２】
この動作により、先行紙幣の先端部はドラム外周面２ａと弾性材ベルト３ａのベルト外表面との間に挟持され、ドラム外周面２ａ側に存在する先行紙幣の後端部上に、弾性材ローラ１１とアイドルローラ１２とに挟持された後続紙幣の先端部が所定の重なり代で重ね合される。後続紙幣の後端部は羽根車１６の羽根の先端部で押さえられて傾斜ガイド１８の斜面に沿った状態で停止する。
【００５３】
また、先行紙幣と後続紙幣との重合部が、外表面間の対向部を通過するときに、その弾性材ベルト３ｃのベルト外表面は紙幣Ｐの搬送方向とは逆方向に回転しているが、本実施例の対向部には紙幣Ｐの２枚分の厚さより大きい所定の隙間が設けられ、かつ先行紙幣を弾性材ベルト３ｃのベルト外表面側にして搬送されるので、例え先行紙幣の後端部が弾性材ベルト３ｃのベルト外表面に接触したとしても所定の重なり代にズレが生ずることはなく、重ね合されたときの状態のまま搬送される。
【００５４】
このようにして、順次に搬入口１５へ搬送された後続紙幣の先端部が、その先行紙幣の後端部に重ね合されてガイドドラム２上に収納される。更に、フル検出センサ３１がガイドドラム２上に収納された先行紙幣のうち、最も先頭の紙幣Ｐの先端を検出すると、制御部は、収納設定枚数の紙幣Ｐが収納されたと判定する。その後、制御部は、各駆動ローラ５ａ、５ｂ、５ｃおよび搬入ローラ１３の駆動を停止し、券売機へフル状態になった旨のフル通知を送信する。券売機は紙幣挿入口を閉鎖して新たな紙幣の挿入を停止させる。
【００５５】
なお、通常の場合は、紙幣挿入口から挿入される紙幣Ｐの枚数が、収納設定枚数を超えることはないので、制御部は、券売機からの取込終了指令を受信したときに、紙幣Ｐの収納終了を判定して各駆動ローラ５および搬入ローラ１３の駆動を停止する。
【００５６】
上記のようにして、複数の紙幣Ｐがドラム外周面２ａと各弾性材ベルト３とに保持され、最後尾の紙幣Ｐが挿入部１０の弾性材ローラ１１とアイドルローラ１２とに挟持された状態（図６に示す状態）で収納された後に、収納紙幣の金額が確定されたとき、または収納紙幣の返却要求があったときに、図示しない券売機から収納紙幣の繰出指令が送信され、これを受信した制御部は、ドラム外周面２ａと各弾性材ベルト３との間に保持して収納した紙幣Ｐの繰出動作を開始する。
【００５７】
すなわち、制御部は、繰出部２０の繰出ローラ２３を図７において反時計方向に回転駆動させると共に、各駆動プーリ５ａ、５ｂ、５ｃを時計方向に回転させて各弾性材ベルト３ａ、３ｂ、３ｃを駆動させ、ガイドドラム２のドラム外周面２ａと各弾性材ベルト３ａ、３ｂ、３ｃとに保持された紙幣Ｐを弾性材ベルト３によりその重なりを維持したまま図７において反時計方向に搬送させる。
【００５８】
このとき、最後尾の紙幣Ｐは、弾性材ローラ１１によりドラム外周面２ａと弾性材ベルト３ａの外表面との間に搬送され、その先行紙幣との重なりを維持したまま弾性材ベルト３ａにより搬送される。
【００５９】
そして、制御部は、最後尾の紙幣Ｐの後端を切替トリガセンサ３２が検出した後、紙幣Ｐの後端が切替ブレード２２の先端の回動軌跡を通過するまで紙幣Ｐを搬送させる。更に、制御部は切替ブレード２２を回動させ、切替ブレード２２の先端を最も先頭の紙幣Ｐの先端と、最後尾の紙幣Ｐの後端との間に差込んで、紙幣Ｐの搬送方向が繰出口２１の方向となる位置に切替ブレード２２を切替える。更に、制御部は弾性材ベルト３により紙幣Ｐを搬送させる。更に、制御部は、最も先頭の紙幣Ｐの先端を切替トリガセンサ３２が検出した後、切替トリガセンサ３２から繰出部２０の繰出ローラ２３と押圧ローラ２５との挟持部までに相当する距離搬送させ、最も先頭の紙幣Ｐの先端が繰出ローラ２３と押圧ローラ２５とに挟持されたときに、弾性材ベルト３の駆動を停止する。
【００６０】
制御部は、この場合の切替トリガセンサ３２通過後の紙幣Ｐの搬送距離を、駆動プーリ５を駆動するパルスモータのパルス数、またはエンコーダからのパルス数によって制御する。
【００６１】
弾性材ベルト３の駆動を停止した制御部は、先頭の紙幣Ｐを繰出ローラ２３と押圧ローラ２５により、その後端を弾性材ベルト３ａの押圧部９ａに存在する後続紙幣との重合部から引抜いて繰出口２１から繰出させると共に、その繰出通知を券売機へ送信する。
【００６２】
このとき、本実施例のドラム外周面２ａと紙幣Ｐとの間の摩擦係数は、紙幣Ｐ同士の摩擦係数より小さくなるように設定され、弾性材ベルト３と紙幣Ｐとの間の摩擦係数は、紙幣Ｐ同士の摩擦係数より大きくなるように設定されているので、後続紙幣が先行紙幣に引きずられて移動することはなく、後続紙幣の先端は弾性材ベルト３ａの押圧部９ａに押圧された状態で停止している。つまり、ドラム外周面２ａと押圧部９ａとに挟持された先行紙幣と後続紙幣との重合部のうち、先行紙幣の後端部のみが小さい摩擦力で後続紙幣の先端部とドラム外周面に挟持されているため、先行紙幣のみを引抜くことができる。
【００６３】
一方、制御部からの繰出通知を受信した券売機は、収納紙幣の金額確定による繰出の場合は、切替機構３５により繰出された紙幣Ｐの搬送方向を搬送路３６の方向に切替え、当該紙幣Ｐを搬送路３６によって紙幣収納庫へ搬送して収納する。返却要求による繰出の場合は、切替機構３５により繰出された紙幣Ｐの搬送方向を搬送路３４の方向に切替え、当該紙幣Ｐを搬送路３４によって紙幣返却口へ搬送して返却する。
【００６４】
そして、制御部は、引抜かれる先頭の紙幣Ｐの後端を切替トリガセンサ３２が検出したときに、再び弾性体ベルト３ａ、３ｂ、３ｃを駆動して、２枚目の紙幣Ｐ（収納中の先頭紙幣）を搬送させる。更に、制御部は、２枚目の紙幣Ｐ（収納中の先頭紙幣）の先端を切替トリガセンサ３２が検出した後、切替トリガセンサ３２から繰出部２０の繰出ローラ２３と押圧ローラ２５との挟持部までに相当する距離を搬送させる。更に、制御部は、先頭の紙幣Ｐの先端が繰出ローラ２３と押圧ローラ２５とに挟持されたときに、弾性材ベルト３の駆動を停止し、当該紙幣Ｐを繰出ローラ２３と押圧ローラ２５により引抜いて繰出口２１から繰出させると共に、その繰出通知を券売機へ送信する。
【００６５】
その後、制御部は、上記と同様にして順次に収納紙幣を繰出口２１から繰出し、最後尾の紙幣Ｐを繰出して収納紙幣の繰出を終了させた後に、更にガイドドラム２の１周分に相当する距離、弾性体ベルト３を駆動し、フル検出センサ３１、切替トリガセンサ３２が残留紙幣を検出しないことを確認して繰出動作を終了させる。
【００６６】
このようにして、本実施例の収納繰出機構１による収納動作および繰出動作が行われる。
【００６７】
以上説明したように、本実施例では、ガイドドラム２のドラム外周面を押圧する弾性体ベルト３を円周方向に３箇所配置し、ドラム外周面と弾性体ベルト３のベルト外表面との間に、先行紙幣の後端部に後続紙幣の先端部を重ね合せて保持するようにしたことによって、テープと共に紙幣Ｐを巻取って収納するテープ式の収納繰出機構に較べて構造の簡素化を図ることができると共に、同一の外径を有するガイドドラム２を備えた収納繰出機構の紙幣Ｐの収納枚数を増加させることができる。更に、ガイドドラム２をフレーム等に固定し、回転させない構造としたことにより、ガイドドラム２を回転させるための駆動源、またはガイドドラム２への駆動伝達手段（ギヤ、ベルト等）を必要としない。また、収納繰出機構１内の搬送方向を一方向のみとし、弾性体ベルトの張り側とガイドドラム２で紙幣Ｐを挟持し、ガイドドラム２上を滑らせながら紙幣Ｐを搬送する構造としたことにより、弾性体ベルト３の駆動機構を簡素化し（一つの弾性体ベルトを駆動プーリおよび従動プーリ各一個で駆動する）、収納繰出機構の製造コストを削減することができる。
【００６８】
また、一の隣り合う弾性材ベルト３の間に、ドラム外周面とベルト外表面との間に紙幣Ｐを搬入する搬入部１０を設けると共に、他の隣り合う弾性材ベルト３の間に、ドラム外周面とベルト外表面との間から紙幣Ｐを繰出す繰出部２０を設け、搬入部１０によって搬入された先行紙幣の後端部に後続紙幣の先端部を重ね合せてガイドドラム２上に収納した紙幣Ｐの後端部のみを小さい摩擦力で後続紙幣の先端部とドラム外周面とで挟持することにより、先頭の紙幣Ｐを繰出部によって１枚だけ引抜くことが可能になり、紙幣Ｐの繰出時における重送を防止することができる。
【実施例２】
【００６９】
以下に、図８を用いて本実施例の収納繰出機構について説明する。なお上記実施例１と同様の部分は、同一の符号を付してその説明を省略する。
【００７０】
本実施例の説明においては、上記実施例１で説明した繰出部２０は、第１の繰出部２０といい、第１の繰出部２０を構成する部品は、必要に応じ「第１の」の語を付して説明する。
【００７１】
第２の繰出部４０は、上記実施例１の第１の繰出部２０と同様に、収納紙幣を外部へ繰出す第２の部位である。繰出部４０は、搬入部１０および第１の繰出部２０が設けられた弾性材ベルト３の間とは異なる、もう一つの隣合う弾性材ベルト３の間に配置される。本実施例では、繰出部４０は、回転軸６ｃ、４ｃ側の弾性材ベルト３ｂ、３ｃの間に配置されている。第２の切替ブレード４２は駆動プーリ５ｂに巻掛けられた弾性材ベルト３ｂのベルト外表面と、従動プーリ７ｃに巻掛けられた弾性材ベルト３ｃのベルト外表面との間に配置されている。切替ブレード４２は、弾性材ベルト３により搬送される紙幣Ｐの搬送方向を、ドラム外周面２ａの円周方向から第２の繰出口４１の方向へ切替える。切替ブレード４２は、図示しないソレノイド等のアクチュエータにより、回動支点４２ａを中心に回動駆動される。
【００７２】
第２の繰出口４１は、２枚の対向配置されたガイド板４４ａ、４４ｂの端部で形成され、紙幣Ｐは、第２の繰出口４１から繰出される。第２の繰出ローラ４３は、紙幣Ｐの繰出方向からみて繰出口４１より上流側かつ駆動プーリ５ｂの下流側に配置された搬入ローラ１３と同様の搬送ローラである。また、第２の繰出ローラ４３は繰出される紙幣Ｐの裏面側に配置されている。第２の繰出ローラ４３は、回転軸４３ａに固定され、図示しない駆動源により弾性材ベルト３、および搬入ローラ１３、第１の繰出ローラ２３とは独立に回転駆動される。
【００７３】
第２の押圧ローラ４５は、回転軸４５ａの軸方向の中央部の第２の繰出ローラ４３に対向する位置に設けられている。押圧ローラ１７と同様に、図示しないバネ部材が回転軸４５ａを押圧することにより、第２の押圧ローラ４５は第２の繰出ローラ４３の外周面を押圧する。第２の押圧ローラ４５は、第２の繰出ローラ４３との間に紙幣Ｐの長手方向の中央部を挟持して搬送する機能を有している。
【００７４】
搬送ガイド４７は、上記実施例１の搬送ガイド２７ｂと同様に形成されたガイド部材である。紙幣Ｐが弾性材ベルト３ｂによる押圧部９ｂから弾性材ベルト３ｃによる押圧部９ｃまで搬送されるとき、搬送ガイド４７は、紙幣Ｐの搬送方向をドラム外周面２ａ側に切替えた第２の切替ブレード４２と共同して、紙幣Ｐをガイドする。
【００７５】
切替トリガセンサ４９は、ガイドドラム２のドラム外周面２ａ上を搬送される紙幣Ｐを挟んで発光部と受光部とを対向配置した光学式のセンサである。切替トリガセンサ４９は、発光部からの光を紙幣Ｐが遮ったことを受光部で検出して搬送される紙幣Ｐを検出する機能を有している。切替トリガセンサ４９は、ドラム外周面２ａの弾性材ベルト３ｂによる押圧部９ｂの搬送方向下流側で、第２の切替ブレード４２の先端の回動軌跡の上流側に配置される。切替トリガセンサ４９は、ドラム外周面２ａ上を搬送される先頭の紙幣Ｐの先端を検出する。図示しない制御部は、切替トリガセンサ４９での紙幣Ｐの先端の検出結果により、紙幣Ｐの繰出時に第２の切替ブレード４２を切替える。
【００７６】
搬送路５０は、第２の繰出部４０から繰出された紙幣Ｐを、ベルト対またはローラ対で挟持して搬送する搬送路である。
【００７７】
本実施例においては、搬送路３４は、第１の繰出部２０から繰出された紙幣Ｐを券売機の紙幣返却口へ搬送する搬送路として用いられる。搬送路３６は、第１の繰出部２０から繰出された紙幣Ｐを券売機の循環紙幣の金種（釣銭として再使用する金種の紙幣をいい、本実施例では千円紙幣）の紙幣収納庫へ搬送する搬送路として用いられる。搬送路５０は、第２の繰出部４０から繰出された紙幣Ｐを券売機の非循環紙幣の金種（釣銭として再使用しない金種の紙幣をいい、本実施例では１万円紙幣等の千円紙幣以外の紙幣）の紙幣収納庫へ搬送する搬送路として用いられる。
【００７８】
以下に、本実施例の収納繰出機構１による収納動作および繰出動作について説明する。
【００７９】
本実施例の収納繰出機構１による収納動作は、上記実施例１の場合と同様であるので、その説明を省略する。
【００８０】
この場合に、図示しない制御部は、紙幣Ｐをガイドドラム２上で搬送するための準備動作を開始する。制御部は、第１の繰出部２０の第１の切替ブレード２２、および第２の繰出部４０の第２の切替ブレード４２を、紙幣Ｐをドラム外周面２ａの方向に導く方向に回動させて、それぞれ機構内搬送位置に停止させる。更に制御部は、搬入ローラ１３を図８において反時計方向へ回転させる。
【００８１】
図示しない制御部は、複数の紙幣Ｐをドラム外周面２ａと各弾性材ベルト３ａ、３ｂ、３ｃとに保持させ、最後尾の紙幣Ｐが挿入部１０の弾性材ローラ１１とアイドルローラ１２とに挟持された状態（図６参照）で停止させる。この後に、収納紙幣の金額が確定されたとき、または収納紙幣の返却要求があったときに、図示しない券売機は、図示しない鑑別部で鑑別された金種を収納順に記録した金種リストを添付した収納紙幣の繰出指令を制御部に送信する。これを受信した制御部は、ドラム外周面２ａと各弾性材ベルト３との間に保持した紙幣Ｐの繰出動作を開始する。
【００８２】
すなわち、制御部は、各駆動プーリ５ａ、５ｂ、５ｃを時計方向に回転させて各弾性材ベルト３ａ、３ｂ、３ｃを駆動し、ガイドドラム２のドラム外周面２ａと各弾性材ベルト３ａ、３ｂ、３ｃとに保持された紙幣Ｐを弾性材ベルト３ａ、３ｂ、３ｃによりその重なりを維持したまま図８において反時計方向に搬送させる。
【００８３】
このとき、最後尾の紙幣Ｐは、弾性材ローラ１１によりドラム外周面２ａと弾性材ベルト３ａの外表面との間で、その先行紙幣との重なりを維持したまま弾性材ベルト３ａにより搬送される。
【００８４】
そして、制御部は、金種リストに記録された先頭の紙幣Ｐ（１枚目の紙幣Ｐ）の金種が、千円である場合は、第１の繰出部２０の第１の繰出ローラ２３を図８において反時計方向に回転駆動させると共に、当該先頭の紙幣を、上記実施例１と同様にして、第１の繰出部２０の第１の繰出口２１から繰出させると共に、その繰出通知を券売機へ送信し、券売機は、搬送路３６によって当該紙幣を千円紙幣の紙幣収納庫に収納する。
【００８５】
２枚目の紙幣の金種が、千円である場合は、第１の繰出ローラ２３を回転駆動したまま、上記実施例１と同様にして、第１の繰出部２０の第１の繰出口２１から繰出させると共に、その繰出通知を券売機へ送信し、券売機は、搬送路３６によって当該紙幣を千円紙幣の紙幣収納庫に収納する。
【００８６】
また、制御部は、金種リストに記録された先頭の紙幣Ｐ（１枚目の紙幣Ｐ）の金種が、１万円である場合は、第２の繰出部４０の第２の繰出ローラ４３を図８において反時計方向に回転駆動させる。制御部は、最後尾の紙幣Ｐの後端を第２の切替トリガセンサ４９が検出した後、紙幣Ｐの後端が第２の切替ブレード４２の先端の回動軌跡を通過するまで紙幣Ｐを搬送させる。更に、制御部は、第２の切替ブレード４２を回動させて、第２の切替ブレード４２の先端を先頭の紙幣Ｐの先端と、最後尾の紙幣Ｐの後端との間に差込んで、紙幣Ｐの搬送方向が第２の繰出口４１の方向となる位置に切替ブレード４２を切替える。制御部は、第２の切替トリガセンサ４９が先頭の紙幣Ｐの先端を検出するまで、弾性材ベルト３により紙幣Ｐを搬送させる。更に、制御部は、紙幣Ｐを第２の切替トリガセンサ４９から第２の繰出ローラ４３と第２の押圧ローラ４５との挟持部までに相当する距離を搬送させる。制御部は、先頭の紙幣Ｐの先端が第２の繰出ローラ４３と第２の押圧ローラ４５とに挟持されたときに、弾性材ベルト３ａ、３ｂ、３ｃの駆動を停止させる。
【００８７】
制御部は、弾性材ベルト３ａ、３ｂ、３ｃの駆動を停止した後に、第２の繰出ローラ４３と第２の押圧ローラ４５により、先頭の紙幣Ｐの後端を、弾性材ベルト３ｂの押圧部９ｂに存在する後続紙幣との重合部から引抜いて第２の繰出口４１から繰出させる。更に、制御部は、その繰出通知を券売機へ送信し、券売機は、搬送路５０によって当該紙幣を１万円紙幣の紙幣収納庫に収納する。
【００８８】
２枚目の紙幣の金種が１万円である場合は、制御部は、第２の繰出ローラ４３を回転駆動したまま、引抜かれる先頭の紙幣Ｐ（１枚目の紙幣Ｐ）の後端を第２の切替トリガセンサ４９が検出したときに、再び弾性体ベルト３ａ、３ｂ、３ｃを駆動し紙幣Ｐを搬送させる。更に、制御部は、２枚目の紙幣の先端を第２の切替トリガセンサ４９が検出した後、第２の切替トリガセンサ４９から第２の繰出ローラ４３と第２の押圧ローラ４５との挟持部までに相当する距離だけ紙幣Ｐを搬送させる。更に、制御部は、先頭の紙幣Ｐの先端が第２の繰出ローラ４３と第２の押圧ローラ４５とに挟持されたときに、弾性材ベルト３の駆動を停止させる。更に、制御部は、第２の繰出ローラ４３と第２の押圧ローラ４５により、当該紙幣Ｐを引抜いて第２の繰出口４１から繰出させると共に、その繰出通知を券売機へ送信し、券売機は、搬送路５０によって当該紙幣を１万円紙幣の紙幣収納庫に収納する。
【００８９】
１枚目の紙幣Ｐが千円紙幣であり、２枚目の紙幣Ｐの金種が１万円紙幣である場合は、１枚目の千円紙幣が、第１の繰出ローラ２３と第１の押圧ローラ２５により引抜かれ、更に、第１の切替トリガセンサ３２が、１枚目の千円紙幣の後端を検出した後に、制御部は、１枚目の千円紙幣の後端が第１の切替ブレード２２の先端の回動軌跡を通過するまで紙幣Ｐを搬送させる。制御部は、第１の切替ブレード２２を回動させて機構内搬送位置（図６に示す位置）に停止させ、紙幣Ｐの搬送方向をドラム外周面２ａに導く方向に切替ブレード２２の位置を切替える。制御部は、１枚目の千円紙幣の繰出後に第１の繰出ローラ２３の回転駆動を停止する。更に、制御部は、再び弾性体ベルト３ａ、３ｂ、３ｃを駆動すると共に第２の繰出ローラ４３を回転駆動し、２枚目の１万円紙幣を先頭にして第２の繰出部４０の方向へ搬送させる。制御部は、最後尾の紙幣Ｐの後端を第２の切替トリガセンサ４９が検出し、紙幣Ｐの後端を第２の切替ブレード４２の先端の回動軌跡を通過するまで搬送させたときに、第２の切替ブレード４２を回動させる。更に、制御部は、第２の切替ブレード４２の先端を現段階の先頭の紙幣Ｐである１万円紙幣の先端と、最後尾の紙幣Ｐの後端との間に差込んで紙幣Ｐの搬送方向を第２の繰出口４１の方向に切替える。制御部は、上記１万円紙幣の場合と同様にして、当該１万円紙幣を第２の繰出口４１から繰出させると共に、その繰出通知を券売機へ送信し、券売機は、搬送路５０によって当該紙幣を１万円紙幣の紙幣収納庫に収納する。
【００９０】
１枚目の紙幣Ｐが１万円紙幣であり、２枚目の紙幣Ｐの金種が千円紙幣である場合は、一枚目の１万円紙幣が、第２の繰出ローラ４３と第２の押圧ローラ４５により引抜かれ、更に、第２の切替トリガセンサ４９が、１枚目の１万円紙幣の後端を検出した後に、制御部は、１枚目の１万円紙幣の後端が第２の切替ブレード４２の先端の回動軌跡を通過するまで紙幣Ｐを搬送させる。更に制御部は、第２の切替ブレード４２を回動させて機構内搬送位置（図６に示す位置）に停止させ、紙幣Ｐの搬送方向をドラム外周面２ａの方向に導く方向に切替ブレード４２の位置を切替える。更に、制御部は、１枚目の１万円紙幣の繰出後に第２の繰出ローラ４３の回転駆動を停止する。更に、制御部は、再び弾性体ベルト３ａ、３ｂ、３ｃを駆動すると共に第１の繰出ローラ２３を回転駆動し、２枚目の千円紙幣を先頭にして第１の繰出部２０の方向へ搬送させる。更に、制御部は、最後尾の紙幣Ｐの後端を第１の切替トリガセンサ３２が検出し、最後尾の紙幣Ｐの後端が第１の切替ブレード２２の先端の回動軌跡を通過するまで搬送したときに、第１の切替ブレード２２を回動させる。更に、制御部は、第１の切替ブレード２２の先端を現段階の先頭の紙幣Ｐである千円紙幣の先端と、最後尾の紙幣Ｐの後端との間に差込んで紙幣Ｐの搬送方向を第１の繰出口２１の方向に切替える。更に、制御部は、上記千円紙幣の場合と同様にして、当該千円紙幣を第１の繰出口２１から繰出させると共に、その繰出通知を券売機へ送信し、券売機は、搬送路３６によって当該紙幣を千円紙幣の紙幣収納庫に収納する。
【００９１】
その後の収納紙幣の搬送先を振分ける繰出動作は、上記と同様に、金種リストに記録された金種に応じて搬送先を振分けながら順次に行なわれ、最後尾の紙幣Ｐを繰出して収納紙幣の繰出を終了した後に、制御部は、更にガイドドラム２の１周分に相当する距離、弾性体ベルト３を駆動し、フル検出センサ３１、第１の切替トリガセンサ３２、第２の切替トリガセンサ４９が残留紙幣を検出しないことを確認して繰出動作を終了させる。
【００９２】
なお、券売機からの繰出指令が、返却要求を添付した繰出指令の場合は、制御部は、実施例１と同様にして、第１の繰出部２０のみから収納紙幣を繰出、券売機は、切替機構３５により繰出された紙幣Ｐの搬送方向を搬送路３４の方向に切替え、当該紙幣Ｐを搬送路３４によって紙幣返却口へ搬送して返却する。
【００９３】
このようにして、本実施例の収納繰出機構１による収納動作および搬送先を振分けた繰出動作が行われる。
【００９４】
上記のように、本実施例の収納繰出機構１においては、収納繰出機構１によって収納紙幣の搬送先を振分けることができるので、例えば、１万円紙幣等の非循環紙幣の紙幣収納庫を収納繰出機構１の直下に配置し、搬送路３６の振分搬送路を省略して、千円紙幣等の循環紙幣までの搬送路３６を短縮して搬送路の構成の簡素化を図ることができ、本実施例の収納繰出機構１を用いた券売機の小型化を図ることができると共に、券売機の製造コストを削減することができる。
【００９５】
以上説明したように、本実施例では、上記実施例１と同様の効果に加えて、収納繰出機構に２つの繰出部２０、４０を設けたことによって、収納繰出機構によって収納紙幣の搬送先を振分けることができ、搬送路の構成を簡素化して、収納繰出機構を有する券売機の小型化を図ることができる。
【００９６】
なお、上記各実施例においては、ガイドドラム２の周囲に弾性材ベルトを３つ配置するとして説明したが、弾性材ベルトの数は前記に限らず、２または４以上であってもよい。この場合に弾性材ベルトを４以上とすれば、実施例２において繰出部の数を更に増加させることができ、金種毎に搬送先を振分けることも可能になる。
【００９７】
また、上記各実施例においては、ガイドドラム２の周囲に複数の弾性材ベルトを配置するとして説明したが、図９に示すように複数の弾性材ローラ３０１ａ〜３０１ｆ、３０２、アイドルローラ３０３および搬送ガイド３０４ａ〜３０４ｃ、３０５をガイドドラム２の周囲に配置して収納繰出機構１を構成するようにしてもよい。弾性材ローラ３０１ａと弾性材ローラ３０１ｂ（または、弾性材ローラ３０１ｃと弾性材ローラ３０１ｄ、弾性材ローラ３０１ｅと弾性材ローラ３０１ｆ）は紙幣Ｐの搬送方向の長さ（上記各実施例においては紙幣Ｐの短手方向の長さ）以下の間隔で配置され、ドラム外周面２ａを押圧している。ここで、弾性材ローラ３０１ａと弾性材ローラ３０１ｂは押圧部９ａの両端に対応する位置に配置され、同様に弾性材ローラ３０１ｃ、３０１ｄと押圧部９ｂ、弾性材ローラ３０１ｅ、３０１ｆと押圧部９ｃは各々対応する位置に設けられている。弾性材ローラ３０２は駆動プーリ５ｃの位置に、また、アイドルローラ３０３は、従動プーリ７ａの位置に設けられ、弾性材ローラ３０２とアイドルローラ３０３は接触しており、紙幣Ｐの搬入時には上記各実施例の弾性材ローラ１１およびアイドルローラ１２と同様に搬入ローラ１３、押圧ローラ２５と連動して先行紙幣と後続紙幣を重ねながら紙幣Ｐの搬入動作をする。なお、図９に黒塗りで示す弾性材ローラ３０１ａ〜３０１ｆの回転軸は駆動軸を表し、図示しない一つの駆動源により駆動されている。搬送ガイド３０４は搬入口１５から搬入された紙幣Ｐを弾性材ローラ３０１ａとドラム外周面２ａが挟持する位置までガイドする。また、弾性材ローラ３０１ａ〜３０１ｆは、比較的弾性に富んだ弾性材で形成されている。このため、弾性材ローラ３０１ａ〜３０１ｆは、ドラム外周面２ａと弾性材ローラ３０１ａ〜３０１ｆが紙幣Ｐを挟持するときには、重ねあわされた紙幣Ｐを挟持できる程度に弾性変形する。搬送ガイド３０４ａ〜３０４ｃは弾性材ローラ３０１ａ〜３０１ｆの間に設けられ、各々が押圧部９ａ、９ｂ、９ｃに対応する位置に配置される。紙幣Ｐの搬入時には、搬送ガイド３０４ａは、紙幣Ｐの重なりを維持したままドラム外周面２ａ上（弾性材ローラ３０１ａと３０１ｂの間）から浮き上がらないように紙幣Ｐをガイドする。本構成において、紙幣Ｐの重なり代は、収納された紙幣の最も先頭の紙幣Ｐが繰出しローラ２３と押圧ローラ２５に挟持されたとき、紙幣Ｐの後端と後続紙幣の重合部が弾性材ローラ３０１ｂとドラム外周面２ａに挟持される位置となるよう設定されている。これにより、紙幣Ｐの搬出時には、繰出しローラ２３と押圧ローラ２５に紙幣Ｐを挟持した状態で、弾性材ローラ３０１ｂの駆動を停止することにより、弾性材ローラ３０１ｂとドラム外周面２ａに挟持された紙幣Ｐの重合部から紙幣Ｐを繰出しローラ２３と押圧ローラ２５で引抜くことができる。
【００９８】
更に、上記各実施例においては、ドラム状ガイドは円筒状のガイドドラム２であるとして説明したが、ドラム状ガイドは、図１０に示すように、同一の中心軸上に樹脂材料で形成された複数の円盤４００を一定間隔で配置して、紙幣Ｐの長手方向以上の軸方向長さとした円盤状ガイド４０１であってもよい。このようにしても円盤状ガイド４０１の外周面を、断続的な円筒面からなるドラム状曲面とすることができる。
このような円盤状ガイド４０１は、円盤状ガイド４０１の外周面と紙幣Ｐとの間の摩擦係数は、円盤状ガイド４０１に用いるガイド部材の材質の選択に加えて、円盤状ガイド４０１と紙幣Ｐとの接触面積を調節することで設定が可能である。円盤状ガイド４０１と紙幣Ｐとの接触面積は、円盤４００の厚さ、および円盤４００を配置する間隔により調節が可能である。例えば、円盤状ガイド４０１を構成する円盤４００の枚数を一定とする場合には、円盤４００の厚みを調節することで、円盤状ガイド４０１と紙幣Ｐとの接触面積を増減することが可能である。また、円盤４００の厚みを一定とする場合には、円盤状ガイド４０１を構成する円盤４００の配置する間隔を調節（円盤４００の枚数を調節）することで、円盤状ガイド４０１と紙幣Ｐとの接触面積を増減することが可能である。また、本実施例においては、弾性材ベルト３ａ、３ｂ、３ｃはドラム外周面２ａに常に接触する構造としているが、図１１に示すように、弾性材ベルト３ａ、３ｂ、３ｃを、同一の中心軸上に配置された複数の円盤４００の間に配置し、ドラム外周面２ａに弾性材ベルト３ａ、３ｂ、３ｃをオーバーラップさせ媒体の挟持力を強化する構造としてもよい。
更に、上記各実施例においては、ガイドドラム２は円筒状部材、円盤状ガイド４０１は図１０に示したように、同一の中心軸上に円盤４００を一定間隔で配置した構造であるとして説明したが、円柱状であってもよい。
【００９９】
更に、上記各実施例においては、ガイドドラム２と円盤状ガイド４０１は樹脂材料で形成するとして説明したが、金属製の円筒状部材または円柱状部材の外周面に、樹脂材料を被覆して形成するようにしてもよい。
【０１００】
更に、上記各実施例においては、上位装置は乗車券等の券売機であるとして説明したが、ＩＣカードのチャージ装置や自動販売機、現金自動預払機等の紙幣を取扱う自動取引装置、および小切手等を取扱う紙葉類取扱装置であれば、本発明を適用することができる。
【符号の説明】
【０１０１】
１    収納繰出機構
２    ガイドドラム
２ａ  ドラム外周面
３、３ａ、３ｂ、３ｃ  弾性材ベルト
４ａ〜４ｃ、６ａ〜６ｃ、１３ａ、１７ａ、２３ａ、２５ａ、４３ａ、４５ａ  回転軸
５、５ａ、５ｂ、５ｃ  駆動プーリ
７、７ａ、７ｂ、７ｃ  従動プーリ
９、９ａ、９ｂ、９ｃ  押圧部
１０  搬入部
１１  弾性材ローラ
１２  アイドルローラ
１３  搬入ローラ
１４ａ、１４ｂ、２４ａ、２４ｂ、４４ａ、４４ｂ  ガイド板
１５  搬入口
１６  羽根車
１７  押圧ローラ
１８  傾斜ガイド
２０  （第１の）繰出部
２１  （第１の）繰出口
２２  （第１の）切替ブレード
２２ａ、４２ａ  回動支点
２３  （第１の）繰出ローラ
２５  （第１の）押圧ローラ
２７、２７ａ、２７ｂ、２７ｃ、４７  搬送ガイド
３０  収納トリガセンサ
３１  フル検出センサ
３２  （第１の）切替トリガセンサ
３４、３６、５０  搬送路
４０  第２の繰出部
４１  第２の繰出口
４２  第２の切替ブレード
４３  第２の繰出ローラ
４５  第２の押圧ローラ
４９  第２の切替トリガセンサ
１００  集積繰出機構
１０１  フィードローラ
１０２  ピックアップローラ
１０３  ゲートローラ
１０４  羽根車
１０５  搬入繰出口
１０６  ステージ
１０７  ガイド
１０８  リンク
２００  紙幣収納繰出装置
２０１  センタリール
２０２  巻取リール
２０３  ローラ
２０４  小径ギヤ
２０５  大径ギヤ
２０６  搬入繰出口
２０７  搬送路
２０８、２０９  回転軸
３０１ａ、３０１ｂ、３０１ｃ、３０１ｄ、３０１ｅ、３０１ｆ、３０２  弾性材ローラ
３０３  アイドルローラ
３０４ａ、３０４ｂ、３０４ｃ、３０５  搬送ガイド
４００  円盤
４０１  円盤状ガイド
【図１】
0005617692.tif 000002
【図２】
0005617692.tif 000003
【図３】
0005617692.tif 000004
【図４】
0005617692.tif 000005
【図５】
0005617692.tif 000006
【図６】
0005617692.tif 000007
【図７】
0005617692.tif 000008
【図８】
0005617692.tif 000009
【図９】
0005617692.tif 000010
【図１０】
0005617692.tif 000011
【図１１】
0005617692.tif 000012
【図１２】
0005617692.tif 000013
【図１３】
0005617692.tif 000014
【図１４】
0005617692.tif 000015
【図１５】
0005617692.tif 000016